(57)【特許請求の範囲】
【請求項１】
横並びの閉塞状態から前方に張り出すように折り畳まれて開放される複数枚の扉体と、
前記複数枚の扉体を開閉自在に支持する枠体と、
前記枠体の下枠に突出形成され、前記複数枚の扉体の開閉を左右方向に案内するガイドレールと、
前記各扉体の下端部の後部内面に形成され左右方向に水平に延在する第１部材装着溝と、
前記第１部材装着溝に装着され、柔軟性を有する部材で一体に形成されると共に開閉に際し曲げられて前記ガイドレールを乗り越える垂設ラッチ部材とを備え、
前記第１部材装着溝は、前部に開口部を有して前向き断面「Ｃ」字状に形成され、前記垂設ラッチ部材は、前記第１部材装着溝に装着される装着基部と、当該装着基部から前記開口部の縁部に沿って屈曲し下方に延びるラッチ片部とを有していることを特徴とする折戸。
【請求項２】
前記第１部材装着溝および前記垂設ラッチ部材は、それぞれ前記各扉体の幅いっぱいに延在していることを特徴とする請求項１に記載の折戸。
【請求項３】
前記ラッチ片部の下端部には、少なくとも前方に膨出する膨出部が形成されていることを特徴とする請求項１または２に記載の折戸。
【請求項４】
前記各扉体の下端部の前部内面に形成され、前記第１部材装着溝に対向する第２部材装着溝と、前記第２部材装着溝に装着され下方に延びる水切り部材とを備え、
前記水切り部材の下端部は、閉塞状態において前記ガイドレールの前面に接触していることを特徴とする請求項１、２または３に記載の折戸。
【請求項５】
前記下枠の後部には、閉塞状態の前記両扉体の下端部の後面に接触すると共に、前方斜め上向きに延びる気密部材が取り付けられていることを特徴とする請求項１ないし４のいずれかに記載の折戸。
【請求項６】
前記気密部材の上端部には、前記両扉体の下端部の後面に向かって二股に分岐する分岐部が形成されていることを特徴とする請求項５に記載の折戸。
【請求項７】
請求項１ないし６のいずれかに記載の折戸を浴室の開口部に設置する折戸の設置構造において、
前記ガイドレールの上面と、浴室床と、脱衣室床とがほぼ面一に配設されていることを特徴とする折戸の設置構造。
【発明の詳細な説明】
【０００１】
【産業上の利用分野】
本発明は、例えば、浴室などに設けられ、一対の扉体を中央部で折曲げ自在に連結した折戸およびその設置構造に関するものである。
【０００２】
【従来の技術】
この種の従来の折戸として、浴室に設置された例えば実開昭６１−１９７１７０号公報に記載のものが知られている。この折戸は、左右の扉体と、これを開閉自在に支持する枠体とから成り、左右の扉体は枠体の上枠および下枠に形成した上下のガイドレールに案内されて開閉する。左側の扉体の連結縦框には、その上下小口端にそれぞれラッチが組み込まれており、上側のラッチは上側のガイドレールに係脱し、下側のラッチは下側のガイドレールに係脱するようになっている。
すなわち、閉塞状態から両扉体の連結部分に力を加えると、各ガイドレールから各ラッチが外れると共に、両ガイドレールに案内された左扉体が右扉体に重なるように折り畳まれる（開放）。この状態から、逆に力を加えると、両扉体が展開してゆき、最終時に各ラッチが各ガイドレールを乗り越えるように係合して、閉塞状態となる。
【０００３】
【発明が解決しようとする課題】
ところで近年のバリアフリー設計の浴室では、下枠と浴室床と脱衣室床とがほぼ面一に配設されているため、上記従来の折戸のように上下にラッチを設けると、下側のラッチが、折戸を開放するときに浴室床につかえ或いは浴室床に擦れるおそれがある。かといって、下側のラッチを省略すると折戸の下部がばたつく問題が生ずる。
【０００４】
本発明は、ラッチ機能を損なうことなく、開閉に伴って床等に摺接してもこれを傷つけることのないラッチを備えた折戸およびその設置構造を提供することをその目的としている。
【０００５】
【課題を解決するための手段】
本発明の折戸は、横並びの閉塞状態から前方に張り出すように折り畳まれて開放される複数枚の扉体と、複数枚の扉体を開閉自在に支持する枠体と、枠体の下枠に突出形成され、複数枚の扉体の開閉を左右方向に案内するガイドレールと、各扉体の下端部の後部内面に形成され左右方向に水平に延在する第１部材装着溝と、第１部材装着溝に装着され、柔軟性を有する部材で一体に形成されると共に開閉に際し曲げられてガイドレールを乗り越える垂設ラッチ部材とを備え、第１部材装着溝は、前部に開口部を有して前向き断面「Ｃ」字状に形成され、垂設ラッチ部材は、第１部材装着溝に装着される装着基部と、装着基部から開口部の縁部に沿って屈曲し下方に延びるラッチ片部とを有していることを特徴とする。
【０００６】
この構成によれば、扉体の開閉に際し、第１部材装着溝に装着された柔軟性を有する垂設ラッチ部材が、ガイドレールを乗り越えることにより、垂設ラッチ部材の掛け・外しが為される。この場合、垂設ラッチ部材が、第１部材装着溝に装着される装着基部と、装着基部から開口部の縁部に沿って屈曲し下方に延びるラッチ片部とを有しているため、垂設ラッチ部材が掛け止めされる場合には、ガイドレールの前面に当たったラッチ片部が、第１部材装着溝の開口部の縁部から離れるように曲げられて、ガイドレールを乗り越える。逆に、垂設ラッチ部材が外れる場合には、ガイドレールの後面に当たったラッチ片部が、開口部の縁部に押し付けられるようにこれに添って曲げられて、ガイドレールを乗り越える。すなわち、ラッチ片部は、掛止されるときには装着基部に近い部分を中心に曲げられ、外されるときには開口部の縁部の下端に当たる部分を中心に曲げられる。したがって、掛止し易く且つ外し難い構造となり、良好なラッチ機能を奏することになる。一方、垂設ラッチ部材は柔軟性を有しているため、開閉に際し、床や下枠などに摺接してもこれらを傷つけることがない。
【０００７】
この場合、第１部材装着溝および垂設ラッチ部材は、それぞれ各扉体の幅いっぱいに延在していることが、好ましい。
【０００８】
この構成によれば、下方に延びる垂設ラッチ部材のラッチ片部に、水切りとしての機能を持たせることができる。
【０００９】
これらの場合、ラッチ片部の下端部には、少なくとも前方に膨出する膨出部が形成されていることが、好ましい。
【００１０】
この構成によれば、開放時に、ガイドレールに膨出部が引っ掛かることで、垂設ラッチ部材をより一層、掛止し易く且つ外し難い構造とすることができる。
【００１１】
これらの場合、各扉体の下端部の前部内面に形成され、第１部材装着溝に対向する第２部材装着溝と、第２部材装着溝に装着され下方に延びる水切り部材とを備え、水切り部材の下端部は、閉塞状態においてガイドレールの前面に接触していることが、好ましい。
【００１２】
この構成によれば、垂設ラッチ部材がガイドレールに掛止めされた状態で、水切り部材がガイドレールの前面に接触するため、各扉体と下枠との間の水密性を向上させることができる。
【００１３】
これらの場合、下枠の後部には、閉塞状態の両扉体の下端部の後面に接触すると共に、前方斜め上向きに延びる気密部材が取り付けられていることが、好ましい。
【００１４】
この構成によれば、垂設ラッチ部材がガイドレールに掛止めされた状態で、気密部材が両扉体の下端部の後面に接触するため、扉体と下枠との間の気密性・水密性を向上させることができる。
【００１５】
この場合、気密部材の上端部には、両扉体の下端部の後面に向かって二股に分岐する分岐部が形成されていることが、好ましい。
【００１６】
この構成によれば、気密部材は、両扉体の下端部の後面に２箇所で接触するため、扉体と下枠との間の気密性・水密性をより一層、向上させることができる。
【００１７】
また、本発明の折戸の設置構造は、請求項１ないし６のいずれかに記載の折戸を浴室の開口部に設置する折戸の設置構造において、ガイドレールの上面と、浴室床と、脱衣室床とがほぼ面一に配設されていることを特徴とする。
【００１８】
この構成によれば、垂設ラッチ部材が脱衣室床に摺接することがあっても、垂設ラッチ部材が柔軟性を有しているため、脱衣室床を傷つけることがない。
【００１９】
【発明の実施の形態】
以下、添付図面を参照して、本発明の一実施形態に係る折戸を浴室の中折戸に適用した場合について説明する。図１の縦断面図および図２の横断面図に示すように、この折戸１は、枠体２に左扉体３ａおよび右扉体３ｂを組み込んで構成され、左扉体３ａと右扉体３ｂとは、突き合わせた状態で、連結金具４を介して折曲げ自在に連結されている。枠体２は、押出し型材（アルミニウム製）で構成された上枠１１、下枠１２および両縦枠１３，１３を枠組みして成り、浴室Ａの開口部に取り付けられている。
【００２０】
上枠１１の下面および下枠１２の上面には、それぞれ見付け方向に延びる上ガイドレール１４ａおよび下ガイドレール１４ｂが突出形成されている。下ガイドレール１４ｂの上面は、浴室床Ａａおよび脱衣室床Ｂａとほぼ面一に配設され、バリアフリー設計になっている。また、下枠１２の脱衣室Ｂ側には、鰭状気密部材１５が取り付けられ、同様に上枠１１および縦枠１３にも気密部材１６が取り付けられ、これら鰭状気密部１５および気密部材１６により、左右両扉体３ａ，３ｂと枠体２との間が四周に亘ってシールされている。
【００２１】
左右各扉体３ａ，３ｂは、上框２１および下框２２に、縦框２３および連結縦框２４とを框組みすると共に、上框２１と下框２２との間に横桟２５を組み込み、これに上下のパネル体２６，２６を嵌め込んで構成されている。左扉体３ａの横桟２５には、脱衣室Ｂ側に引手部２７が形成され、浴室Ａ側に引手を兼ねるタオル掛け２８が取り付けられている。各扉体３ａ，３ｂの下框２２には、室内外を連通する開閉機構付きの換気ガラリ２９が形成されている。また、左扉体３ａの連結縦框２４の上端部にはラッチ機構３０が、右扉体３ｂの連結縦框２４には閉塞ロック機構３１が組み込まれている。さらに、各扉体３ａ，３ｂの縦框２３には、後述する上スライダ３６ａを上ガイドレール１４ａから離脱させる離脱機構３２が組み込まれている。
【００２２】
各扉体３ａ，３ｂの下框２２には、その下端部の両内面に、下ガイドレール１４ｂを挟んで前後に水切り部材３３および垂設ラッチ部材３４が取り付けられている。バリアフリー設計の本実施形態では、この水切り部材３３および垂設ラッチ部材３４と上記の鰭状気密部材１５とにより、浴室床Ａａからの走り水などを確実に止水および防水できるようになっている。一方、各扉体３ａ，３ｂの縦框２３には、上下のピンヒンジ３５，３５を介して上スライダ３６ａおよび下スライダ３６ｂがそれぞれ取り付けられ、各扉体３ａ，３ｂはこの上スライダ３６ａおよび下スライダ３６ｂにより、上ガイドレール１４ａおよび下ガイドレール１４ｂに、それぞれスライド自在に支持されている。ただし、右扉体３ｂの上下両スライダ３６ａ，３６ｂは、上下両ガイドレール１４ａ，１４ｂに不動に固定されている。
【００２３】
これにより、折戸１は、左扉体３ａと右扉体３ｂとが枠体２の幅いっぱいに横に並んだ閉扉位置と、左扉体３ａに右扉体３ｂを重ねるように折り畳んだ開扉位置との間で、開閉される。すなわち、閉扉位置から右扉体３ｂの横桟２５の引手部２７を斜め手前に引くことにより、左扉体３ａと右扉体３ｂが、それぞれピンヒンジ３５を中心に回動すると共に、右扉体３ｂの上下両スライダ３６ａ，３６ｂが上下両ガイドレール１４ａ，１４ｂに案内されて左側に移動し、同時に左扉体３ａと右扉体３ｂとが連結金具４の部分で折れ曲がって、左扉体３ａに右扉体３ｂが重なるように折り畳まれる（開放）。
【００２４】
次に、図３を参照して、上記の垂設ラッチ部材３４廻りの構造について詳細に説明する。同図に示すように、下枠１２の上面には、下ガイドレール１４ｂが上向きに突出形成され、また下枠１２の後部には、断面「Ｃ」字状の気密部材装着溝４１が形成されている。そして、この気密部材装着溝４１には、上記の鰭状気密部材１５が装着されている。鰭状気密部材１５は、気密部材装着溝４１に装着される基部１５ａと、基部１５ａから前方斜め上向きに延びる鰭部１５ｂと、鰭部１５ｂの上端から下框２２の下端部後面に向かって二股に分岐する分岐部１５ｃとから成り、柔軟性を有するゴム或いは樹脂などで一体に形成されている。また、いうまでもないが、気密部材装着溝４１および鰭状気密部材１５は、下枠１２の長手方向に延在している。
【００２５】
一方、下框２２の下端部は開放されており、その前部内面には水切り部材装着溝（第２部材装着溝）５１が形成され、後部内面にはラッチ部材装着溝（第１部材装着溝）５２が形成されている。水切り部材装着溝５１およびラッチ部材装着溝５２は、いずれも断面「Ｃ」字状に形成され、その開口部５１ａ，５２ａが対向するように形成されている。そして、水切り部材装着溝５１には上記の水切り部材３３が装着され、ラッチ部材装着溝５２には垂設ラッチ部材３４が取り付けられている。水切り部材３３は、水切り部材装着溝５１に装着される部材基部３３ａと、部材基部３３ａから開口部５１ａの縁部５１ｂに沿って屈曲し下方に延びる水切り片部３３ｂとから成り、柔軟性を有するゴム或いは樹脂などで一体に形成されている。この場合、水切り部材３３は、閉塞状態において、水切り片部３３ｂの下端部が下ガイドレール１４ｂの前面に接触するようになっている。
【００２６】
垂設ラッチ部材３４は、ラッチ部材装着溝５２にに装着される装着基部３４ａと、装着基部３４ａから開口部５２ａの縁部５２ｂに沿って屈曲し下方に延びるラッチ片部３４ｂと、ラッチ片部３４ｂの下端に連なる膨出部３４ｃとから成り、柔軟性を有するゴム或いは樹脂などで一体に形成されている。垂設ラッチ部材３４は、上記のラッチ機構３０と共に両扉体３ａ，３ｂの上下に位置し、両扉体３ａ，３ｂの開閉に際し、上下両ガイドレール１４ａ，１４ｂにそれぞれ掛け・外しされて、ラッチ作用を奏するようになっている。そして、これら水切り部材装着溝５１、水切り部材３３、ラッチ部材装着溝５２および垂設ラッチ部材３４は、下框２２の長手方向に延在している。
【００２７】
図４は、垂設ラッチ部材３４のラッチ作用を説明する拡大端面図である。同図に示すように、両扉体３ａ，３ｂが閉塞される場合には、垂設ラッチ部材３４はそのラッチ片部３４ｂの装着基部３４ａに近い部分で前方に曲げられて、下ガイドレール１４ｂを乗り越える。逆に、両扉体３ａ，３ｂが開放される場合には、垂設ラッチ部材３４はそのラッチ片部３４ｂの中間部分で後方に曲げられて、下ガイドレール１４ｂを乗り越える。すなわち、閉塞動作では、ラッチ片部３４ｂが開口部５２ａの縁部５２ｂから離れるように半径Ｌ１で折曲げられ（同図（ａ））、開放動作では、ラッチ片部３４ｂが開口部５２ａの縁部５２ｂを巻き込むように半径Ｌ２で折曲げられる（同図（ｂ））。
【００２８】
したがって、ラッチ片部３４ｂの折曲げに抗する力は、閉塞動作より開放動作の方が大きくなり、垂設ラッチ部材３４によるラッチ作用は、上記のラッチ機構３０と同様に、両扉体３ａ，３ｂに対し閉塞し易く且つ開放し難く作用する。しかも、開放動作では、垂設ラッチ部材３４の膨出部３４ｃが、下ガイドレール１４ｂに引っ掛かるため、垂設ラッチ部材３４は、両扉体３ａ，３ｂをより開放し難く作用する。すなわち、垂設ラッチ部材３４は、上記のラッチ機構３０と同様に、ラッチとして掛け止めし易く、外し難い機能を奏する。なお、より掛け止めし易いラッチ構造とするため、膨出部３４ｃを前部のみ膨出している形態にしてもよい。
【００２９】
このような構成では、浴室床Ａａの排水が、閉塞状態の折戸１に向かって流れてきても、下ガイドレール１４ｂに接触する水切り部材３３で止水され、続いて垂設ラッチ部材３４により止水され、最後に鰭状気密部材１５により止水される。したがって、この部分の気密性および水密性を十分に保持することができる。また、折戸１が開閉する際には、垂設ラッチ部材３４が適宜、規律性をもって下ガイドレール１４ｂを乗り越えてラッチ機能を奏する。さらに、折戸１の閉塞状態において、水切り部材３３および垂設ラッチ部材３４が浴室床Ａａの上面に摺接するが、これらの部材は柔軟性を有しているため、浴室床Ａａに擦り傷などが生ずることがない。
【００３０】
なお、本実施形態では、浴室用の折戸について説明したが、勝手口折戸などの他の折戸にも適用できることは、いうまでもない。また、本実施形態の垂設ラッチ部材では、水切り部材を兼用させるようにしているが、必ずしも兼用させる必要はない。また、垂設ラッチ部材を掛け止めし易く、外し難い構造とするため、の装着基部側を軟質の樹脂とし、ラッチ片部側を硬質の樹脂として一体に形成してもよい。
【００３１】
【発明の効果】
以上のように本発明の折戸およびその設置構造によれば、垂設ラッチ部材のラッチ片部は、掛止されるときには装着基部に近い部分を中心に曲げられ、外されるときには開口部の縁部の下端に当たる部分を中心に曲げられるため、これを良好なラッチ機能を奏する掛止し易く且つ外し難い構造とすることができる。また、垂設ラッチ部材は柔軟性を有しているため、開閉に際し、床などに摺接してもこれを傷つけることがない。したがって、良好なラッチ機能を損なうことなく、開閉の際の摺接による浴室床等の損傷を有効に防止することができる。
【図面の簡単な説明】
【図１】本発明の一実施形態に係る折戸の縦断面図である。
【図２】一実施形態に係る折戸の横断面図である。
【図３】折戸の垂設ラッチ部材廻りの拡大縦断面図である。
【図４】垂設ラッチ部材のラッチ作用を説明する拡大縦断面図である。
【符号の説明】
１  折戸、２  枠体、３ａ  左扉体、３ｂ  右扉体、１２  下枠、１４ａ  上ガイドレール、１４ｂ  下ガイドレール、１５  鰭状気密部材、１５ａ  基部、１５ｂ  鰭部、１５ｃ  分岐部、３３  水切り部材、３３ａ  部材基部、３３ｂ水切り片部、３４  垂設ラッチ部材、  ３４ａ  装着基部、３４ｂ  ラッチ片部、３４ｃ  膨出部、４１  気密部材装着溝、５１  水切り部材装着部、５２  ラッチ部材装着部、５２ａ  開口部、５２ｂ  縁部、Ａ  浴室、Ａａ  浴室床、Ｂ脱衣室、Ｂａ  脱衣室床
【図１】
0003586107.tif 000002
【図２】
0003586107.tif 000003
【図３】
0003586107.tif 000004
【図４】
0003586107.tif 000005